(57)【要約】【課題】  電波を有効に利用したギャップフィラー装置を提供する。【解決手段】  ギャップフィラー装置１００は、互いに周波数帯が異なる複数の地上デジタル放送信号のうちから選択された１つを受信し、受信された放送信号を構成する１３のセグメントのうちから予め定められた強帯域のセグメントを復調し、選択された地上デジタル放送信号に対応するデータを出力する第１〜第１２受信部１０１〜１１２と、第１〜第１２受信部１０１〜１１２がそれぞれ出力する１２の地上デジタル放送信号に対応するデータを、地上デジタル放送信号と同じ数のセグメントで構成されたギャップフィラー放送信号のいずれかのセグメントにそれぞれ割当てる合成部１２１と、複数の地上デジタル放送信号に対応するデータが割当てられたギャップフィラー放送信号を変調し、送信する送信部１２５と、を備える【選択図】        図２
2008135963.tif 000002
【特許請求の範囲】
【請求項１】
複数の放送信号のうちから選択された１つを受信し、前記受信された放送信号を構成する複数のセグメントのうちから予め定められた少なくとも１つのセグメントを復調し、前記選択された放送信号に対応するデータを出力する受信手段と、
前記受信手段が出力する前記選択された放送信号に対応するデータを、前記複数のセグメントで構成された所定の放送信号のいずれかのセグメントに割当てる放送信号生成手段と、
前記所定の放送信号を送出する送出手段と、を備えた送信装置。
【請求項２】
前記放送信号生成手段は、前記受信手段が出力する前記選択された放送信号に対応するデータを前記所定の放送信号を構成する前記複数のセグメントのいずれに割当てたかを示す放送情報を、前記所定の放送信号を構成する前記複数のセグメントの予め定められたセグメントに割り当てる放送情報生成手段を含む、請求項１に記載の送信装置。
【請求項３】
複数の放送信号のうちから選択された放送信号を構成する複数のセグメントのうち少なくとも１つのセグメントを受信する受信手段と、
前記複数の放送信号のうちから１つを選択し、前記受信手段に受信させる選択手段と、
前記受信手段が受信するセグメントが再生可能か否かを判断する判断手段と、
前記判断手段により再生不可能と判断された場合、再生可能な放送信号を探索する探索手段と、
前記探索手段により再生可能な放送信号が検出された場合、前記受信手段に前記検出された再生可能な放送信号を構成する複数のセグメントのいずれかを受信させるセグメント受信手段と、を備えた受信装置。
【請求項４】
前記選択された放送信号を識別するための放送信号識別情報を記憶する記憶手段をさらに備え、
前記セグメント受信手段は、前記検出された再生可能な放送信号を構成する複数のセグメント各々に前記複数の放送信号のいずれの放送信号が割当てられているかを示す放送情報を取得する放送情報取得手段と、
前記取得された放送情報に基づいて、前記記憶された放送信号識別情報で識別される放送信号が割当てられたセグメントを決定するセグメント決定手段を含む、請求項３に記載の受信装置。
【請求項５】
前記放送情報取得手段は、前記検出された再生可能な放送信号を構成する前記複数のセグメントのうち予め定められた１つのセグメントを前記受信手段に受信させ、前記受信手段が出力するデータに基づいて前記放送情報を取得する、請求項４に記載の受信装置。
【請求項６】
それぞれが複数のセグメントで構成される複数の放送信号を受信するステップと、
前記受信された複数の放送信号毎に、該放送信号を構成する前記複数のセグメントのうち予め定められた少なくとも１つのセグメントを復調し、前記放送信号に対応するデータを出力するステップと、
前記複数の放送信号に対応するデータそれぞれを、前記複数セグメントで構成された所定の放送信号のいずれかのセグメントに割当てるステップと、
前記所定の放送信号を送出するステップと、を含む送信方法。
【請求項７】
前記割当てるステップは、前記複数の放送信号に対応するデータ各々を前記所定の放送信号を構成する複数のセグメントのいずれに割当てたかを示す放送情報を、前記所定の放送信号を構成する前記複数のセグメントの予め定められたセグメントに割り当てるステップと、を含む請求項６に記載の送信方法。
【発明の詳細な説明】
【技術分野】
【０００１】
この発明は送信装置、受信装置および送信方法に関し、特に、デジタル放送の一部を再送信する送信装置、デジタル放送を受信する受信装置、および送信装置により実行される送信方法に関する。
【背景技術】
【０００２】
近年、テレビ放送等の電波の届きやすい場所で電波を受信し、電波の届きにくい場所に再送信するギャップフィラー機能を備えた送信装置が流通している。電波の届きにくい場所は、例えば、地下、建物の中などである。例えば、特開２００５−３４１１９５号公報に記載の再送信方法は、１３個のセグメントに分割したＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式の地上デジタル放送波を受信し、受信した地上デジタル放送波から所定の部分受信用の１セグメントを抽出する。そして、抽出した１セグメントの信号を、特定エリア（公園、駅、列車の車内など）に存在する部分受信用の携帯受信機に対して再送信する。
【０００３】
しかしながら、地下などの電波の届きにくい場所で再送信される放送信号を、地上の放送信号と同じ周波数帯で送信しなければならず、広い周波数帯の一部しか使用されないため電波を有効に利用することができないといった問題がある。一方、地下などの電波の届きにくい場所で再送信される放送信号を、地上の放送信号と異なる周波数帯で送信することができるが、携帯電話機が地下の放送信号の周波数帯を特定することができないために、地上で受信していた放送信号と同一の放送信号を継続して受信することができなくなるといった問題がある。地下で、すべての放送信号をサーチすることもできるが、地上で受信していた放送信号と同一の放送信号が地下でいずれの周波数帯であるかを特定することができないため、受信可能なすべての周波数帯の放送信号を受信して、ユーザが実際に映像を見て確認しなければならない。
【特許文献１】特開２００５−３４１１９５号公報
【発明の開示】
【発明が解決しようとする課題】
【０００４】
この発明は上述した問題点を解決するためになされたもので、この発明の目的の１つは、電波を有効に利用した送信装置および送信方法を提供することである。
【０００５】
この発明の他の目的は、視聴中の映像が途絶えるのを防止した受信装置を提供することである。
【課題を解決するための手段】
【０００６】
上述した目的を達成するためにこの発明のある局面によれば、送信装置は、複数の放送信号のうちから選択された１つを受信し、受信された放送信号を構成する複数のセグメントのうちから予め定められた少なくとも１つのセグメントを復調し、選択された放送信号に対応するデータを出力する受信手段と、受信手段が出力する選択された放送信号に対応するデータを、複数のセグメントで構成された所定の放送信号のいずれかのセグメントに割当てる放送信号生成手段と、所定の放送信号を送出する送出手段と、を備える。
【０００７】
この局面に従えば、複数のセグメントで構成される所定の放送信号を送信するので、放送信号を受信する受信装置が所定の放送信号を受信することができる。また、複数の放送信号を所定の放送信号を構成する複数のセグメントに割当てるので、電波を有効に利用することができる。その結果、電波を有効に利用した送信装置を提供することができる。
【０００８】
好ましくは、放送信号生成手段は、受信手段が出力する選択された放送信号に対応するデータを所定の放送信号を構成する複数のセグメントのいずれに割当てたかを示す放送情報を、所定の放送信号を構成する複数のセグメントの予め定められたセグメントに割り当てる放送情報生成手段を含む。
【０００９】
この局面に従えば、選択された放送信号に対応するデータを所定の放送信号を構成する複数のセグメントのいずれに割当てたかを示す放送情報が、複数のセグメントの予め定められたセグメントに割り当てられる。このため、所定の放送信号を受信する受信装置に、所定の放送信号に含まれるセグメントの内容を通知することができる。
【００１０】
この発明の他の局面によれば、複数の放送信号のうちから選択された放送信号を構成する複数のセグメントのうち少なくとも１つのセグメントを受信する受信手段と、複数の放送信号のうちから１つを選択し、受信手段に受信させる選択手段と、受信手段が受信するセグメントが再生可能か否かを判断する判断手段と、判断手段により再生不可能と判断された場合、再生可能な放送信号を探索する探索手段と、探索手段により再生可能な放送信号が検出された場合、受信手段に検出された再生可能な放送信号を構成する複数のセグメントのいずれかを受信させるセグメント受信手段と、を備える。
【００１１】
この局面に従えば、受信するセグメントを再生可能か否かが判断され、再生不可能と判断された場合、再生可能な放送信号が探索される。そして、再生可能な放送信号が検出された場合、検出された再生可能な放送信号を構成する複数のセグメントのいずれかが受信される。このため、受信中の放送信号が再生不可能となると、別の放送信号が受信されるので、視聴中の映像が途絶えるのを防止した放送受信装置を提供することができる。
【００１２】
好ましくは、選択された放送信号を識別するための放送信号識別情報を記憶する記憶手段をさらに備え、セグメント受信手段は、検出された再生可能な放送信号を構成する複数のセグメント各々に複数の放送信号のいずれの放送信号が割当てられているかを示す放送情報を取得する放送情報取得手段と、取得された放送情報に基づいて、記憶された放送信号識別情報で識別される放送信号が割当てられたセグメントを決定するセグメント決定手段を含む。
【００１３】
この局面に従えば、選択された放送信号を識別するための放送信号識別情報が記憶され、検出された再生可能な放送信号を構成する複数のセグメント各々に複数の放送信号のいずれの放送信号が割当てられているかを示す放送情報が取得され、放送情報に基づいて、記憶された放送信号識別情報で識別される放送信号が割当てられたセグメントが決定される。このため、再生不可能となった放送信号を継続して再生することができる。
【００１４】
好ましくは、放送情報取得手段は、検出された再生可能な放送信号を構成する複数のセグメントのうち予め定められた１つのセグメントを受信手段に受信させ、受信手段が出力するデータに基づいて放送情報を取得する。
【００１５】
この発明のさらに他の局面によれば、送信方法は、それぞれが複数のセグメントで構成される複数の放送信号を受信するステップと、受信された複数の放送信号毎に、該放送信号を構成する複数のセグメントのうち予め定められた少なくとも１つのセグメントを復調し、放送信号に対応するデータを出力するステップと、複数の放送信号に対応するデータそれぞれを、複数セグメントで構成された所定の放送信号のいずれかのセグメントに割当てるステップと、所定の放送信号を送出するステップと、を含む。
【００１６】
この局面に従えば、電波を有効に利用した送信方法を提供することができる。
【００１７】
好ましくは、割当てるステップは、複数の放送信号に対応するデータ各々を所定の放送信号を構成する複数のセグメントのいずれに割当てたかを示す放送情報を、所定の放送信号を構成する複数のセグメントの予め定められたセグメントに割り当てるステップと、を含む。
【発明を実施するための最良の形態】
【００１８】
以下、本発明の実施の形態について図面を参照して説明する。以下の説明では同一の部品には同一の符号を付してある。それらの名称および機能も同じである。したがってそれらについての詳細な説明は繰返さない。
【００１９】
図１は、本発明の実施の形態における放送システムの概略を示す図である。放送システムは、地上デジタル放送の放送信号（以下「地上デジタル放送信号」という）を送信する放送装置４００と、送信装置１００と、携帯電話機１とを含む。放送装置４００は、地上デジタル放送の放送局に設置され、地上デジタル放送信号をアンテナ４０１から送信する。送信装置１００は、ギャップフィラー機能を備え、放送装置４００から送信される地上デジタル放送信号を受信し、受信した放送信号の一部を含み、放送装置４００が送信する地上デジタル放送信号と同じセグメント構造の新たな放送信号を生成し、それを地下に送信する。ここでは、送信装置１００が地下に送信する新たな放送信号をギャップフィラー放送信号という。携帯電話機１は、地上に位置するときは放送装置４００が送信する地上デジタル放送信号を受信し、表示するが、地下に位置するときは送信装置１００が送信するギャップフィラー放送信号を受信する。送信装置１００が地下で送信する放送信号の周波数は、放送装置４００が送信する放送信号の周波数と同じであってもよいし、異なっていてもよい。
【００２０】
なお、ここでは、地上デジタル放送信号を受信できない地下にギャップフィラー放送信号を送信するために、送信装置１００を設置する例を説明するが、地上デジタル放送信号を受信できない場所であれば、例えば、建物の中、山間部等であってもよい。また、送信装置１００が送信するギャップフィラー放送信号の周波数が、放送装置４００が送信する地上デジタル放送信号の周波数と異なる場合は、送信装置１００は、地上デジタル放送信号を受信することが可能な特定のエリアに設置するようにしてもよい。特定のエリアは、例えば、店舗の中、公園、列車など乗り物の内部などである。
【００２１】
図２は、本実施の形態における送信装置の機能概要の一例を示すブロック図である。図２を参照して、送信装置１００は、それぞれがアンテナ１０１Ａ〜１１２Ａに接続され、地上デジタル放送信号を受信し、それを復調した復調信号を出力するための第１受信部１０１、第２受信部１０２、第３受信部１０３、…、第１２受信部１１２と、第１受信部１０１〜第１２受信部１１２それぞれが出力する復調信号に基づいて、新たな放送信号（ギャップフィラー放送信号）を生成する合成部１２１と、合成部が生成したギャップフィラー放送信号を変調する変調部１２３と、変調されたギャップフィラー放送信号をアンテナ１２７から送信する送信部１２５と、を含む。
【００２２】
第１受信部１０１〜第１２受信部１１２は、周波数帯が異なる複数の地上デジタル放送信号をそれぞれ受信する。ここでは、送信装置１００が、１２の放送局にそれぞれ備えられた１２の放送装置４００がそれぞれ送信する地上デジタル放送信号を受信する例を示す。１２の放送装置４００が送信する地上デジタル放送信号は、互いに周波数帯が異なる。１２の放送局ごとに予めに定められた周波数帯が割り当てられており、１２の放送局の放送装置４００それぞれは、上記予め定められた周波数帯の放送信号を送信する。ここでは、１２の放送局ごとに割り当てられた周波数帯をチャンネルといい、第１放送局〜第１２放送局に第１〜第１２チャンネルが割り当てられているものとする。さらに、第１〜第１２チャンネルそれぞれは、それに割り当てられたチャンネル番号（放送信号識別情報）で識別される。また、１２の放送装置４００それぞれが送信する地上デジタル放送信号は、周波数帯を１３に区分した１３のセグメントを含む。セグメントは、地上デジタル放送信号のチャンネルを複数の周波数帯に分割したものである。第１受信部１０１〜第１２受信部１１２は、受信するデジタル放送信号の周波数帯（チャンネル）が異なるのみで機能は同じなので、ここでは第１受信部１０１を例に説明する。
【００２３】
図３は、第１受信部の詳細な構成を示すブロック部である。図３を参照して、第１受信部１０１は、アンテナ１０１Ａに接続されたチューナ１３１と、チューナで受信された放送信号を復調する復調部１３３と、復調して得られるデータ（復調信号）のうちから所定のセグメントを抽出する抽出部１３５とを含む。
【００２４】
チューナ１３１は、アンテナ１０１Ａに接続されており、アンテナ１０１Ａにより受信された地上デジタル放送信号が入力される。地上デジタル放送信号は、映像データおよび音声データを含む高周波デジタル変調信号である。チューナ１３１は、アンテナ１０１Ａから入力される高周波デジタル変調信号から１２の放送局ごとに予めに定められた１２のチャンネル（周波数帯）のうち予め定められたチャンネルの高周波デジタル変調信号を取り出し、復調部１３３に出力する。
【００２５】
復調部１３３は、逆インターリーブ回路、誤り訂正回路を備えており、チューナ１３１から入力される高周波デジタル変調信号を復調し、チューナ１３１が受信した地上デジタル放送信号に対応するデータを抽出部１３５に出力する。抽出部１３５は、地上デジタル放送信号に対応するデータから予め定められたセグメントのデータを抽出し、合成部１２１に出力する。抽出部１３５は、地上デジタル放送信号に対応するデータが含む１３セグメントのデータのうちから地上デジタル放送信号において部分受信可能なセグメントとして予め定められた強帯域のセグメントのデータを抽出する。
【００２６】
なお、チューナ１３１で、地上デジタル放送信号の予め定められたセグメントを、例えばバンドパスフィルタを用いて受信するようにしてもよい。この場合、抽出部１３５は不要であり、チューナ１３１は、地上デジタル放送信号を構成する１３セグメントのうち予め定められたセグメントに割当てられた周波数帯を受信する。
【００２７】
図２に戻って、第１受信部１０１〜第１２受信部１１２は、１２の放送局の放送装置４００が送信する地上デジタル放送信号をそれぞれ受信する。換言すれば、第１受信部１０１〜第１２受信部１１２は、地上デジタル放送信号の互いに異なるチャンネルを受信する。合成部１２１は、第１受信部１０１〜第１２受信部１１２から地上デジタル放送信号の所定のセグメントに対応するデータがそれぞれ入力される。例えば、第１受信部１０１が第１チャンネルの地上デジタル放送信号を受信する場合、合成部１２１には第１受信部１０１から第１チャンネルの地上デジタル放送信号を構成する１３セグメントのうち強帯域のセグメントを復調したデータが入力され、第２受信部１０２が第２チャンネルの地上デジタル放送信号を受信する場合、合成部１２１には第２受信部１０２から第２チャンネルの地上デジタル放送信号を構成する１３セグメントのうち強帯域のセグメントを復調したデータが入力され、…、第１２受信部１１２が第１２チャンネルの地上デジタル放送信号を受信する場合、合成部１２１には第１２受信部１１２から第１２チャンネルの地上デジタル放送信号を構成する１３セグメントのうち強帯域のセグメントを復調したデータが入力される。
【００２８】
なお、ここでは、第１受信部１０１〜第１２受信部１１２の１２で１２の放送局の放送装置４００から送信される地上デジタル放送信号を受信するようにしたが、放送局の数はこれに限定されることなく、少なくとも１つあればよい。第１受信部１０１〜第１２受信部１１２は、放送局の放送装置４００から送信される地上デジタル放送信号の数（受信するチャンネルの数）に合わせた数だけ設ければよい。
【００２９】
合成部１２１は、１３セグメントからなるギャップフィラー放送信号を生成するためのデータを生成し、生成したギャップフィラー放送信号のデータを変調部１２３に出力する。合成部１２１は、ギャップフィラー放送信号の強帯域のセグメントに放送情報を割当てる。放送情報は、第１受信部１０１〜第１２受信部１１２が受信する地上デジタル放送信号を識別するための情報と、ギャップフィラー放送信号を構成する１３のセグメントとの関連付けを定義する。地上デジタル放送信号を識別するための情報（放送識別情報）は、例えば、放送局名、放送局に割当てられた周波数帯を識別する情報（チャンネル番号）である。ここでは、地上デジタル放送信号を識別するための情報（放送識別情報）に、チャンネル番号を用いる例を示す。
【００３０】
放送情報は、例えば、第１受信部１０１が第１チャンネルの地上デジタル放送信号を受信し、合成部１２１が、その第１受信部１０１が出力する第１チャンネルの地上デジタル放送信号に対応するデータを第１セグメントに割当てたならば、第１チャンネルを識別するためのチャンネル番号と第１セグメントとを関連付ける。放送情報は、第１受信部１０１から第１２受信部１１２すべてが受信する地上デジタル放送信号を識別するためのチャンネル番号各々を、第１受信部１０１から第１２受信部１１２が出力するデータそれぞれを割当てたセグメントと関連付ける。
【００３１】
また、放送情報は、地上デジタル放送信号に含まれる番組特定情報（ＰＳＩ：Ｐｒｏｇｒａｍ  Ｓｐｅｃｉｆｉｃ  Ｉｎｆｏｒｍａｔｉｏｎ）、番組配列情報（ＳＩ：Ｓｅｒｖｉｃｅ  Ｉｎｆｏｒｍａｔｉｏｎ）、ネットワーク関連設定管理情報（ＮＩＴ：Ｎｅｔｗｏｒｋ  Ｉｎｆｏｒｍａｔｉｏｎ  Ｔａｂｌｅ）、放送事業者情報（ＳＤＴ：Ｓｅｒｖｉｃｅ  Ｄｅｓｃｒｉｐｔｉｏｎ  Ｔａｂｌｅ）を含むようにしてもよい。
【００３２】
なお、ここでは、第１受信部１０１〜第１２受信部１１２それぞれが出力する地上デジタル放送信号に対応するデータを、ギャップフィラー放送信号を構成する１３のセグメントいずれかに関連付けるようにしたが、放送装置４００が送信する地上デジタル放送信号とは関係ない、独自のデータを合成部１２１が生成するギャップフィラー放送信号を構成する１３のセグメントのいずれかに割当てるようにしてもよい。例えば、店舗に送信装置１００を設置した場合に、その店舗が独自に制作した放送用映像のデータを、１３のセグメントのいずれかに割当てる。
【００３３】
携帯電話機１がギャップフィラー放送信号をサーチする場合、携帯電話機１は、ギャップフィラー放送信号を構成する１３セグメントのうち強帯域のセグメントを最初に受信する。携帯電話機１がギャップフィラー放送信号をサーチして、最初に受信するギャップフィラー放送信号のセグメントが放送情報を含むようにしたので、ギャップフィラー放送信号を構成する１３のセグメントそれぞれに割当てられたチャンネルを、直ちに把握することができる。そのため、携帯電話機１は、ギャップフィラー放送信号のいずれのセグメントに所望の地上デジタル放送信号に対応するデータが割当てられているかを、直ちに判断することができる。なお、ここでは合成部１２１は、ギャップフィラー放送信号の強帯域のセグメントに放送情報を割当てるようにしたが、放送情報をギャップフィラー放送信号の任意のセグメントに割当てるようにしてもよい。放送情報を割当てたセグメントを予め定めておけば、携帯電話機１がギャップフィラー放送信号をサーチした後、強帯域を検出するので、強帯域のセグメントからの相対的な位置から直ちに放送情報が割当てられたセグメントを受信することができる。
【００３４】
送信部１２５は、アンテナ１２７と接続されており、変調部１２３により変調されたギャップフィラー放送信号をアンテナ１２７から送信する。
【００３５】
図４は、本発明の実施の形態における携帯電話機の外観を示す斜視図である。図４を参照して、携帯電話機１は、操作側部３と、表示側部２とを含む。操作側部３の内側面には、テンキーおよび通話キー等の操作キー１４と、マイクロフォン１３とが配置され、内側面に反対の外側面には後述するカメラ２４が配置される。表示側部２の内側面には、液晶表示装置（ＬＣＤ）１６と、第１スピーカ１１とが配置される。また、表示側部２の側面には、第２スピーカ１２が配置される。なお、ここでは携帯電話機１がＬＣＤ１６を備える例を示すが、ＬＣＤ１６に代えて、有機ＥＬ（ＥｌｅｃｔｒｏＬｕｍｉｎｅｓｃｅｎｃｅ）ディスプレイを用いてもよい。
【００３６】
操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００３７】
図５は、携帯電話機の機能の一例を示す機能ブロック図である。図５を参照して、携帯電話機１は、携帯電話機１の全体を制御するための制御部２１と、アンテナ２２Ａと接続された無線回路２２と、音声データを処理するためのコーデック部２８と、それぞれがコーデック部２８に接続されたマイクロフォン１３および第１スピーカ１１と、アンテナ２２Ａに接続されたチューナ２３と、ＡＶデコーダ２９と、カメラ２４と、ユーザの操作の入力を受付ける操作部２５と、ＬＣＤ１６の表示を制御するための表示制御部３０と、制御部２１の作業領域として使用されるＲＡＭ（Ｒａｎｄｏｍ  Ａｃｃｅｓｓ  Ｍｅｍｏｒｙ）３１と、制御部２１で実行するプログラム等を記憶するためのフラッシュＲＯＭ（Ｆｌｕｓｈ  Ｒｅａｄ  Ｏｎｌｙ  Ｍｅｍｏｒｙ）３２と、振動部２６と、カードインターフェース（Ｉ／Ｆ）２７と、シリアルインターフェースとしての外部通信接続端子３３と、を含む。
【００３８】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして第１スピーカ１１に出力する。また、コーデック部２８は、マイクロフォン１３からアナログの音声信号が入力され、音声信号をデジタルに変換し、符号化し、そして符号化した音声信号を無線回路２２に出力する。
【００３９】
チューナ２３は、アンテナ２２Ａに接続されており、アンテナ２２Ａにより受信された放送信号が入力される。チューナ２３が受信する放送信号は、デジタル放送信号およびギャップフィラー放送信号を含む。放送信号は、映像データおよび音声データを含む高周波デジタル変調信号である。チューナ２３は、アンテナ２２Ａから入力される高周波デジタル変調信号から特定の周波数の信号を取り出す。また、チューナ２３は、逆インターリーブ回路、誤り訂正回路を備えており、取り出した特定の周波数の高周波デジタル変調信号を復調し、復調して得られる符号データをＡＶデコーダ２９に出力する。ＡＶデコーダ２９は、ビデオデコーダおよびオーディオデコーダを備えており、チューナ２３から入力された符号データを復号して映像信号および音声信号を生成し、映像信号をＤ／Ａ（デジタル／アナログ）変換して表示制御部３０に出力し、音声信号をＤ／Ａ変換して第２スピーカ１２に与える。なお、ここでは、地上デジタル放送の放送信号を受信して再生する例を示したが、アナログテレビジョン放送の放送信号を受信して再生するようにしてもよい。また、テレビジョン放送に代えて、または、テレビジョン放送に加えて、ラジオ放送の放送電波を受信して再生するようにしてもよい。
【００４０】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００４１】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、光電変換した画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１６に表示させる、または、圧縮符号化方式で静止画データまたは動画データを符号化して、フラッシュＲＯＭ３２またはカードＩ／Ｆ２７に装着されたメモリカード２７Ａに記憶する。これにより、メモリカード２７Ａに映像コンテンツが記録される。
【００４２】
操作部２５は、操作キー１４と、ランプ２５Ａとを含む。操作キー１４は、ユーザによる操作の入力を受け付け、受け付けた操作を制御部２１に出力する。ランプ２５Ａは、制御部２１により制御されて発光する。
【００４３】
カードＩ／Ｆ２７には、着脱可能なメモリカード２７Ａが装着される。メモリカード２７Ａは、例えば、ＣｏｍｐａｃｔＦｌａｓｈ、ＳｍａｒｔＭｅｄｉａ（登録商標）、ＳＤ（Ｓｅｃｕｒｅ  Ｄｉｇｉｔａｌ）メモリカード、メモリースティック、ＭＭＣ（ＭｕｌｔｉＭｅｄｉａ  Ｃａｒｄ）、ｘＤピクチャーカードなどである。
【００４４】
制御部２１は、カードＩ／Ｆ２７を介して、メモリカード２７Ａにアクセスが可能である。メモリカード２７Ａに映像コンテンツが記録されている場合、制御部２１は、メモリカード２７Ａから映像コンテンツを読出し、映像コンテンツに含まれる符号データをＡＶデコーダ２９に出力する。ＡＶデコーダ２９は、制御部２１から入力された符号データを復号して映像信号および音声信号を生成し、映像信号をＤ／Ａ（デジタル／アナログ）変換して表示制御部３０に出力し、音声信号をＤ／Ａ変換して第２スピーカ１２に与える。これにより、映像コンテンツが再生される。
【００４５】
なお、ここでは制御部２１で実行するためのプログラムをフラッシュＲＯＭ３２に記憶しておく例を説明するが、プログラムをメモリカード２７Ａに記憶しておき、メモリカード２７Ａからプログラムを読み出して、制御部２１で実行するようにしてもよい。プログラムを記憶する記録媒体としては、メモリカード２７Ａに限られず、フレキシブルディスク、カセットテープ、光ディスク（ＣＤ−ＲＯＭ（Ｃｏｍｐａｃｔ  Ｄｉｓｃ
−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭなどの半導体メモリ等でもよい。また、携帯電話機１をインターネットに無線回路２２を介して接続し、インターネットに接続されたコンピュータからプログラムをダウンロードして、制御部２１で実行するようにしてもよい。ここでいうプログラムは、制御部２１により直接実行可能なプログラムだけでなく、ソースプログラム、圧縮処理されたプログラム、暗号化されたプログラム等を含む。
【００４６】
図６は、第１チャンネル〜第１２チャンネルの地上デジタル放送信号各々のセグメント構造の一例を示す図である。図６を参照して、第１チャンネル（ｃｈ）〜第１２チャンネルの地上デジタル放送信号２０１〜２１２各々は、６４ＭＨｚの周波数帯の信号として送信され、この周波数帯が１３のセグメントに分割される。ここでは、６４ＭＨｚの周波数帯を１３に分割した場合に、図中左から第１セグメント、第２セグメント、…、第１３セグメントという。
【００４７】
１３のセグメントのうち、地上デジタル放送信号の中心の周波数を含むセグメントが、強帯域のセグメントである。第１チャンネル（ｃｈ）〜第１２チャンネルの放送信号２０１〜２１２各々は、強帯域のセグメント２３１〜２４２と、強帯域以外のセグメントとを異なる変調方式で変調することが可能である。このため、強帯域のセグメント２３１〜２４２を部分的に受信することが可能である。ここでは、地上デジタル放送信号２０１〜２１２それぞれは、強帯域のセグメント２０１〜２１２がＱＰＳＫ（Ｑｕａｄｒａｔｕｒｅ  Ｐｈａｓｅ  Ｓｈｉｆｔ  Ｋｅｙｉｎｇ）で変調され、強帯域以外のセグメントがＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）で変調されているものとする。
【００４８】
図７は、ギャップフィラー放送信号のセグメント構造の一例を示す図である。図７を参照して、ギャップフィラー放送信号３００は、６４ＭＨｚの周波数帯の信号として送信され、この周波数帯が第１セグメント２３１〜第１３セグメントで構成され、図６に示した地上デジタル放送信号とセグメント構造が同じである。このため、携帯電話機１のチューナ２３は、地上デジタル放送信号に加えて、ギャップフィラー放送信号を受信することができる。ギャップフィラー放送信号３００の中央の第７セグメント３０１が、強帯域のセグメントである。ギャップフィラー放送信号３００は、第１〜第６セグメントに、第１〜第６チャンネルの強帯域のセグメント２３１〜２３６に対応するデータがそれぞれ割当てられ、第７セグメント３０１に放送情報が割当てられ、第７〜第１２セグメントに第７〜第１２チャンネルの強帯域のセグメント２３７〜２４２に対応するデータデータがそれぞれ割当てられる。
【００４９】
図８は、送信装置で実行されるギャップフィラー処理の流れの一例を示すフローチャートである。図８を参照して、送信装置１００は、複数チャンネルの地上デジタル放送信号を受信する（ステップＳ１０１）。ここでは、第１〜第１２受信部１０１〜１１２が、第１〜第１２チャンネルの地上デジタル放送信号をそれぞれ受信する。そして、複数チャンネルの地上デジタル放送信号を復調する（ステップＳ１０２）。ここでは、第１〜第１２受信部１０１〜１１２が、第１〜第１２チャンネルの地上デジタル放送信号をそれぞれ復調する。これにより、第１〜第１２チャンネルの地上デジタル放送信号それぞれに対応するデータが得られる。さらに、複数チャンネル毎に強帯域のセグメントのデータを抽出する（ステップＳ１０３）。ここでは、第１〜第１２受信部１０１〜１１２が、第１〜第１２チャンネルの地上デジタル放送信号にそれぞれ対応するデータから各地上デジタル放送信号を構成する１３セグメントのうち強帯域のセグメントに対応するデータをそれぞれ抽出する。
【００５０】
次に、放送情報を生成する（ステップS１０４）。具体的には、第１〜第１２チャンネルとギャップフィラー放送信号を構成する１３のセグメントとを関連付けた放送情報を生成する。ここでは、第１〜第６チャンネルのチャンネル番号と第１〜第６セグメントとをそれぞれ関連付け、第７〜第１２チャンネルのチャンネル番号と第８〜第１３セグメントとをそれぞれ関連付けた放送情報を生成する。
【００５１】
次に、放送情報をギャップフィラー放送信号の強帯域のセグメントに割当てる（ステップＳ１０５）。ここでは、放送情報を第７セグメントに割当てる。そして、ステップＳ１０３で、複数のチャンネル毎に抽出した強帯域のセグメントのデータを、ギャップフィラー放送信号の残りのセグメントに割当てる。この割当ては、ステップＳ１０４で生成した放送情報に従う。ここでは、第１〜第６チャンネルの強帯域のセグメント２３１〜２３６に対応するデータをギャップフィラー放送信号の第１〜第７セグメントにそれぞれ割当て、第７〜第１２チャンネルの強帯域のセグメント２３７〜２４２に対応するデータをギャップフィラー放送信号の第７〜第１２セグメントに割当てる。
【００５２】
そして、第１〜第１２チャンネルに対応するデータおよび放送情報が割当てられたギャップフィラー放送信号を変調し（ステップＳ１０７）、変調後のギャップフィラー放送信号を送信する（ステップＳ１０８）。
【００５３】
図９は、放送信号受信処理の流れの一例を示すフローチャートである。この放送信号受信処理は、携帯電話機１の制御部２１が放送受信プログラムを実行することにより、制御部２１によって実行される処理である。図９を参照して、チャンネルの選択を受け付ける（ステップＳ０１）。具体的には、ユーザが操作キー１４を操作して、入力するチャンネル番号の選択指示を受け付ける。そして、受け付けたチャンネル番号を含むチャンネルリストを作成し、フラッシュＲＯＭ３２に記憶する（ステップＳ０２）。チャンネル番号は、地上デジタル放送信号のチャンネルを識別するための情報である。
【００５４】
次に、制御部２１は、地上デジタル放送信号を受信する（ステップＳ０３）。具体的には、ステップＳ０１で受け付けたチャンネル番号で識別されるチャンネルの地上デジタル放送信号をチューナ２３に取り出させる。これにより、ステップＳ０１で選択されたチャンネルの地上デジタル放送信号が受信され、復調される。そして、地上デジタル放送信号が再生可能か否かを判断する（ステップＳ０４）。制御部２１は、地上デジタル放送信号を復調したデータのビットエラー率を所定のしきい値と比較し、再生可能か否かを判断する。再生可能であれば処理をステップＳ０５に進め、再生可能でなければ処理をステップＳ０６に進める。地上デジタル放送信号が再生可能でない場合、地上デジタル放送信号の電波が届かない場所に移動したものと判断する。地上デジタル放送信号の電波が届かない場合には、ステップＳ０６において、ギャップフィラー受信処理を実行する。地上デジタル放送信号の電波が届かない場所で、送信装置１００がギャップフィラー放送信号を送信していれば、その放送信号を受信することができる。
【００５５】
ステップＳ０５においては、携帯電話機１の電源をＯＦＦにする指示を受け付けたか否かを判断する。電源をＯＦＦにする指示を受け付けたならば処理を終了し、そうでなければ処理をステップＳ０３に進める。電源をＯＦＦにする指示の受け付けは、ユーザが操作キー１４に予め割当てられた電源ＯＦＦキーの押下を検出する場合に加えて、放送信号の受信を停止させる指示に対して操作キー１４に予め割当てられたキーの押下を検出する場合、または携帯電話機１の電源である二次電池の電圧が低下した場合を含む。
【００５６】
ステップＳ０６において実行するギャップフィラー受信処理の後、ステップＳ０７において、ギャップフィラー受信処理の結果がエラーか否かを判断する。ギャップフィラー受信処理の詳細は後述するが、送信装置１００が送信するギャップフィラー放送信号を受信する処理であり、ギャップフィラー放送信号を受信できない場合には、処理結果がエラーとなる。ギャップフィラー受信処理の実行結果がエラーであれば処理をステップＳ０７に進め、そうでなければ処理をステップＳ０２に戻す。ステップＳ０７においては、エラーメッセージをＬＣＤ１６に表示し、処理を終了する。エラーメッセージは、例えば「放送信号を受信できません。」等のメッセージである。
【００５７】
図１０は、ギャップフィラー受信処理の流れの一例を示すフローチャートである。ギャップフィラー受信処理は、図９のステップＳ０６において実行される処理である。図１０を参照して、制御部２１は、送信装置１００が送信するギャップフィラー放送信号をサーチする（ステップＳ１１）。ギャップフィラー放送信号の周波数帯が予め定められている場合には、その周波数帯のギャップフィラー放送信号をチューナ２３に受信させる。そうでない場合は、周波数を順に変更していき、それまで受信していた周波数とは別の周波数でチューナ２３に受信させる。チューナ２３により再生可能なギャップフィラー放送信号が受信されたか否かを判断する（ステップＳ１２）。チューナ２３で再生可能なギャップフィラー放送信号が受信されたならば処理をステップＳ１３に進め、そうでなければ処理をステップＳ２０に進める。再生可能か否かは、復調後のデータのビットエラー率が所定のしきい値より低ければ再生可能と判断する。ステップＳ２０においては、返り値に「エラー」を設定し、処理を放送信号受信処理に戻す。
【００５８】
ステップＳ１３においては、送信装置１００が送信するギャップフィラー放送信号を受信する。そして、放送情報を取得する（ステップＳ１４）。ギャップフィラー放送信号を構成する１３セグメントのうち強帯域のセグメントから放送情報を取得する。そして、先に受信していた地上デジタル放送信号がギャップフィラー放送信号に存在するか否かを判断する（ステップＳ１５）。先に受信していた地上デジタル放送信号のチャンネル番号は、図９の放送受信処理のステップＳ０２において、フラッシュＲＯＭ３２にチャンネルリストとして記憶されている。したがって、チャンネルリストに含まれるチャンネル番号と同一のチャンネル番号が、ステップＳ１４で取得した放送情報に含まれているか否かを判断する。チャンネルリストに記憶されているチャンネル番号と同一のチャンネル番号が放送情報に含まれていれば、ギャップフィラー放送信号に先に受信していた地上デジタル放送信号が存在すると判断し、処理をステップＳ１６に進め、そうでなければ処理をステップＳ１７に進める。
【００５９】
ステップＳ１６においては、先に受信していた地上デジタル放送信号が割り当てられたセグメントを受信するセグメントに設定する。具体的には、チャンネルリストに記憶されているチャンネル番号と放送情報で関連付けられたセグメントを受信するセグメントに設定し、処理をステップＳ１８に進める。ステップＳ１８においては、セグメント受信処理を実行し、処理をステップＳ１９に進める。ステップＳ１９では、処理を放送信号受信処理に戻す。これにより、ギャップフィラー放送信号のうちで、先に受信していた地上デジタル放送信号が割当てられたセグメントが受信される。このため、地上で視聴していた地上デジタル放送信号に対応するデータが地下で受信されるので、ユーザは、チャンネル番号を選択する必要がない。
【００６０】
ステップＳ１７においては、先に受信していた地上デジタル放送信号と類似する放送信号が割り当てられたセグメントを受信するセグメントに設定する。チャンネルリストと、放送情報が番組特定情報、番組配列情報、ネットワーク関連設定管理情報または放送事業者情報を含んでいれば、チャンネルリストと放送情報とに含まれるそれらの情報を比較し、チャンネルリストに含まれる情報と類似する情報と放送情報で関連付けられたセグメントが、先に受信していた地上デジタル放送信号と類似の放送信号に対応すると判断する。情報の類似は、例えば、番組のジャンルが同じ、放送事業者が同じ場合に、類似すると判断する。
【００６１】
そして、ギャップフィラー放送信号を構成する１３のセグメントのうちから、先に受信していた地上デジタル放送信号と類似の放送信号が割当てられたセグメントを受信するセグメントに設定し、処理をステップＳ１８に進める。これにより、ギャップフィラー放送信号を構成する１３のセグメントのうちで、先に受信していた地上デジタル放送信号と類似する放送信が割当てられたセグメントが受信される。このため、地上で視聴していた地上デジタル放送信号と類似の放送信号が地下で受信されるので、ユーザは、チャンネルを選択する必要がない。
【００６２】
図１１は、セグメント受信処理の流れの一例を示すフローチャートである。セグメント受信処理は、図１０のステップＳ１８で実行される処理である。図１１を参照して、ギャップフィラー放送信号を構成する１３のセグメントのうち受信するセグメントに設定されたセグメントを受信する（ステップＳ２１）。具体的には、チューナ２３に、設定されたセグメントの周波数のギャップフィラー放送信号を受信させる。受信するセグメントに設定されたセグメントのギャップフィラー放送信号に対応するデータに含まれる映像がＬＣＤ１６に表示されるとともに、音声が第１スピーカ１１または第２スピーカ１２から出力される。これにより、先に選択していたチャンネル番号で識別されるチャンネルの地上デジタル放送信号に対応するデータと同一または類似のデータを表示または音声出力することができる。その結果、地上で受信していたデジタル放送信号の映像が継続してＬＣＤ１６に表示されるので、ユーザはギャップフィラー放送信号を受信するために、チャンネルを選択する必要はない。
【００６３】
次のステップＳ２２においては、図９のステップＳ０５と同様に、電源をＯＦＦにする指示を受け付けたか否かを判断する。電源をＯＦＦにする指示を受け付けたならば処理を終了し、そうでなければ処理をステップＳ２３に進める。
【００６４】
ステップＳ２３においては、チャンネル番号を変更するチャンネル変更指示を受け付けたか否かを判断する。ユーザが操作キー１４に予め割当てられたチャンネル選択キーを押下したならば、チャンネル変更指示を受け付ける。チャンネル変更指示を受け付けたならば処理をステップＳ２４に進め、そうでなければ処理をステップＳ２５に進める。ここで、変更可能なチャンネル番号は、図１０のステップＳ１０で取得した放送情報で定義されたチャンネル番号のいずれかである。
【００６５】
ステップＳ２４においては、変更後のチャンネル番号と放送情報で関連付けられたセグメントを、受信するセグメントに設定し、処理をステップＳ２１に戻す。これにより、変更後のチャンネル番号と放送情報で関連付けられたセグメントの放送信号が受信される（ステップＳ２１）。
【００６６】
ステップＳ２５においては、図９のステップＳ０４と同様に、ギャップフィラー放送信号が再生可能か否かを判断する。再生可能であれば処理をステップＳ２１に戻し、受信しているセグメントの受信を継続する。しかしながら再生可能でなければ処理をステップＳ２６に進める。ギャップフィラー放送信号が再生可能でなければ、ユーザが地上デジタル放送信号を受信可能な場所に移動した可能性が高い。このため、ステップＳ１６以降の処理で、地上デジタル放送信号を受信する。
【００６７】
ステップＳ２６においては、図１０のステップＳ１６で設定されたセグメントから受信するセグメントが変更されたか否かを判断する。受信するセグメントが変更されていれば処理をステップＳ２７に進め、変更されていなければ処理をステップＳ３０に進める。ギャップフィラー放送信号を受信した後は、図１０のステップＳ１６において先に受信していた地上デジタル放送信号が割り当てられたセグメントが受信するセグメントに設定されるが、その後、受信するセグメントが変更さたか否かを判断する。この変更は、ユーザの意思で変更した場合（ステップＳ２３）と、ギャップフィラー放送信号に先に受信していた地上デジタル放送信号と同一の放送信号が存在しない場合に、携帯電話機１が類似の放送信号に変更する場合（図１０のステップＳ１７）とを含む。
【００６８】
ステップＳ２７においては、セグメントを変更後に受信している放送信号と同一の地上デジタル放送信号が存在するか否かを判断する。具体的には、変更後のセグメントと放送情報で関連付けられたチャンネル番号で識別されるチャンネルの地上デジタル放送信号が存在するか否かを判断する。存在すれば処理をステップＳ２８に進めるが、存在しなければ処理をステップＳ２９に進める。ステップＳ２８においては、変更後のセグメントと放送情報で関連付けられたチャンネル番号を、次に受信する地上デジタル放送信号のチャンネルを識別するためのチャンネル番号として選択し、処理を放送信号受信処理に戻す。さらに、ステップＳ３０においては、チャンネルリストに記憶されているチャンネル番号を、次に受信する地上デジタル放送信号のチャンネルを識別するためのチャンネル番号として選択し、処理を放送信号受信処理に戻す。これにより、ギャップフィラー放送信号を構成する複数のセグメントのうちで受信していたセグメントと放送情報で関連付けられたチャンネル番号で識別される地上デジタル放送信号を受信するので、同じ地上デジタル放送信号を継続して受信することができる。
【００６９】
一方、ステップＳ２９においては、図１０のステップＳ１７と同様に、変更後のセグメントと放送情報で関連付けられた情報と類似する情報のチャンネル番号を、次に受信する地上デジタル放送信号のチャンネルを識別するためのチャンネル番号として選択し、処理を放送信号受信処理に戻す。これにより、ギャップフィラー放送信号を構成する複数のセグメントのうちで受信していたセグメントと放送情報で関連付けられた情報と類似する情報のチャンネルの地上デジタル放送信号が受信される。このため、地下で視聴していた放送信号と類似の地上デジタル放送信号が受信されるので、ユーザは、チャンネルを選択する必要がない。
【００７０】
以上説明したように、本実施の形態における送信装置１００は、第１〜第１２チャンネルの地上デジタル放送信号を第１受信部１０１〜第１２受信部１１２でそれぞれ受信し、第１受信部１０１〜第１２受信部１１２それぞれが出力する強帯域のセグメントのデータそれぞれを、１３セグメントのいずれかに割当てたギャップフィラー放送信号を生成し、送信する。このため、地上デジタル放送信号を受信する受信装置としての携帯電話機１は、それが備えるチューナ２３に変更を加えることなくギャップフィラー放送信号を受信することができる。また、第１チャンネルから第１２チャンネルの地上デジタル放送信号の強帯域のセグメントそれぞれを、ギャップフィラー放送信号の強帯域以外の１２のセグメントにそれぞれ割当てるので、電波を有効に利用することができる。その結果、電波を有効に利用した送信装置を提供することができる。
【００７１】
また、第１チャンネル〜第１２チャンネルの放送信号の強帯域のセグメントそれぞれを、ギャップフィラー放送信号の強帯域以外の１２のセグメントのいずれに割当てたかを示す放送情報が、ギャップフィラー放送信号の強帯域のセグメントに割り当てられる。このため、ギャップフィラー放送信号を受信する携帯電話機１は、ギャップフィラー放送信号を構成する１３のセグメントに、第１チャンネルから第１２チャンネルの放送信号のいずれが割当てられているかを即座に判断することができる。
【００７２】
また、携帯電話機１は、受信する地上デジタル放送信号が再生可能か否かを判断し、再生不可能と判断した場合、再生可能なギャップフィラー放送信号を探索する。そして、再生可能なギャップフィラー放送信号が検出された場合、再生可能なギャップフィラー放送信号を構成する１３のセグメントのいずれかを受信する。また、ギャップフィラー放送信号が再生可能か否かを判断し、再生不可能と判断した場合、再生可能な地上デジタル放送信号を探索する。そして、再生可能な地上デジタル放送信号が検出された場合、再生可能な地上デジタル放送信号を受信する。このため、受信中の地上デジタル放送信号またはギャップフィラー放送信号のいずれかが再生不可能になると、他方が再生されるので、映像が途絶えることがない。
【００７３】
また、携帯電話機１は、地上デジタル放送信号を受信しているとき、その地上デジタル放送信号のチャンネルを識別するためのチャンネル番号をチャンネルリストに記憶しておく。そして、地上デジタル放送信号が再生不可能となり、ギャップフィラー放送信号が受信されると、強帯域のセグメントから放送情報を取得する。そして、チャンネルリストに記憶されたチャンネル番号と放送情報により関連付けられたセグメントが決定され、受信される。このため、再生不可能となった地上デジタル放送信号を継続して再生することができる。その結果、ユーザは、チャンネル選択をする必要がない。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７５】
【図１】本発明の実施の形態における放送システムの概略を示す図である。
【図２】本実施の形態における送信装置の機能概要の一例を示すブロック図である。
【図３】第１受信部の詳細な構成を示すブロック部である。
【図４】携帯電話機の外観を示す斜視図である。
【図５】携帯電話機の機能の一例を示す機能ブロック図である。
【図６】第１チャンネル〜第１２チャンネルの地上デジタル放送信号各々のセグメント構造の一例を示す図である。
【図７】ギャップフィラー放送信号のセグメント構造の一例を示す図である。
【図８】送信装置で実行されるギャップフィラー処理の流れの一例を示すフローチャートである。
【図９】放送信号受信処理の流れの一例を示すフローチャートである。
【図１０】ギャップフィラー受信処理の流れの一例を示すフローチャートである。
【図１１】セグメント受信処理の流れの一例を示すフローチャートである。
【符号の説明】
【００７６】
１  携帯電話機、２  表示側部、３  操作側部、１１  第１スピーカ、１２  第２スピーカ、１３  マイクロフォン、１４  操作キー、１６  ＬＣＤ１６、２１  制御部、２２  無線回路、２２Ａ  アンテナ、２３  チューナ、２４  カメラ、２５  操作部、２５Ａ  ランプ、２６  振動部、２７  カードＩ／Ｆ、２７Ａ  メモリカード、２８  コーデック部、２９  ＡＶデコーダ、３０  表示制御部、３１  ＲＡＭ、３２  フラッシュＲＯＭ、３３  外部通信接続端子、１００  送信装置、１０１〜１１２  第１受信部〜第１２受信部、１０１Ａ〜１１２Ａ，１２７  アンテナ、１２１  合成部、１２３  変調部、１２５  送信部、１３１  チューナ、１３３  復調部、１３５  抽出部、２０１〜２１２  放送信号、２３１〜２４２  強帯域のセグメント、３００  ギャップフィラー放送信号、４００  放送装置、４０１  アンテナ。
【図１】
2008135963.tif 000003
【図２】
2008135963.tif 000004
【図３】
2008135963.tif 000005
【図４】
2008135963.tif 000006
【図５】
2008135963.tif 000007
【図６】
2008135963.tif 000008
【図７】
2008135963.tif 000009
【図８】
2008135963.tif 000010
【図９】
2008135963.tif 000011
【図１０】
2008135963.tif 000012
【図１１】
2008135963.tif 000013